(57)【要約】【課題】  サンドアートの入門者向けの手軽で練習しやすい構造を有する、使い勝手の良い構造を有するサンドアート用テーブルを提供する。【解決手段】  砂を撒布するための板体と、発光面を有する発光体と、前記板体を支持する台座とからなり、前記板体は、前記台座と接する位置に設けられる一定幅からなる砂置部と、前記板体の周縁に立設される側壁とを具備するとともに、前記板体には、一または複数からなる砂排出口が切設されている構成である。【選択図】  図１
2016068446.tif 000002
【特許請求の範囲】
【請求項１】
上方へ向けて発光する発光面上に砂を撒いて、撒かれた砂を指や筆でスウィープ（掃除）移動させることにより絵画を創作しまたは創作パフォーマンスを行うためのサンドアート用テーブルにおいて、
前記サンドアート用テーブルは、砂を撒布するための透明または半透明の板体と、前記板体の下部に設置され上方へ発光する発光面を有する発光体と、前記発光体に周設して前記板体を支持する台座とからなり、
前記板体は、前記台座と接する位置に設けられる一定幅からなる砂置部と、撒布する砂の飛散を防止するために前記板体の周縁に立設される側壁とを具備するとともに、前記板体には、一または複数からなる砂を撤収排除するためのスリットからなる砂排出口が切設されていることを特徴とするサンドアート用テーブル。
【請求項２】
前記板体は、透光性を有する樹脂製素材からなる事を特徴とする請求項１記載のサンドアート用テーブル。
【請求項３】
前記板体は、板上に貼布する静電気除去シートまたは板面に塗布する静電気除去材により形成される静電気除去層が設けられていることを特徴とする請求項１記載のサンドアート用テーブル。
【請求項４】
前記台座は、平面コの字型からなるとともに、台座上面の前記板体と接合する面に滑り止め部材を設置したことを特徴とする請求項１記載のサンドアート用テーブル。
【請求項５】
前記板体は、容易に携帯・運搬を可能とするため、Ａ４からＢ３サイズの大きさからなること特徴とする請求項１乃至請求項４の何れかに記載のサンドアート用テーブル。
【請求項６】
前記発光体は、透光性を有する面状の発光部と、直下型方式による前記発光部の下部からの照射またはエッジライト方式による前記発光部の側面からの照射を行う光源とからなることを特徴とする請求項１記載のサンドアート用テーブル。
【請求項７】
前記発光体は、照射する光の明度・色相・彩度または色温度を変更するため、前記台座に取り外し自在に設置されることを特徴とする請求項１記載のサンドアート用テーブル。
【請求項８】
前記光源は、ＬＥＤからなることを特徴とする請求項６記載のサンドアート用テーブル。
【発明の詳細な説明】
【技術分野】
【０００１】
本発明は、発光面上に撒かれた砂を指や筆で掃いて移動させることにより絵画を創作しまたは創作パフォーマンスを行うサンドアート用のテーブルに関し、特に、サンドアートの入門者向けの練習しやすい構造を有するサンドアート用テーブルに関する。
【背景技術】
【０００２】
従来より、砂を用いた芸術作品は数多く制作されており、様々な砂を用いたサンドアート作品が存在している。近年では、砂を用いてイラストの描画・変更・消去を繰り返すことでストーリー性を持たせたものをビデオカメラで撮影して音楽とともにモニターを通して観衆に見せるサンドアートパフォーマンスが行われている。
【０００３】
サンドアートパフォーマンスは、より詳細には、テーブル上に砂を撒き、砂を指等で掃いて移動させることによってテーブル上に出来る線や濃淡によりイラストを描くものである。砂で描画されることから容易に部分的な変更や消去が可能であるため、描かれたイラストを次々と変化させたり消去して新たに描くことにより、ストーリーを展開する事ができる。
【０００４】
また、イラストを明確に浮かび上がらせるため、面状の光源の上に砂を撒いてパフォーマンスが行われている。更に、このようなパフォーマンスを多くの観衆に見せる為、テーブルの上にビデオカメラを設置し、映像を大きなモニターで表示する事で、一定時間のストーリーで構成されるサンドアートパフォーマンスを観衆に提供することが行われている。
【０００５】
砂を用いたアートに関する技術としては、特開２０１１−２２４８６８号が存在する。ここでは、複雑な外郭からなる絵であっても表現力の豊かな砂絵として制作することを可能とするため、砂絵制作キットを構成する剥離可能な分離シートが積層された台紙に切り込みが形成されており、表面に水性の顔料が塗布され水性エマルジョン樹脂によってコーティングされているフレーク状細粒からなる数種類の異なる色により着色された砂状粉粒を台紙に掛けることにより、切込みの形状に応じた絵柄を基台に描画可能とする技術が開示されている。
【０００６】
この技術によれば、砂を用いた芸術作品を誰でも容易かつ迅速に制作することが可能となり、ポータブル性も有しているとも考えられるが、砂を接着材によって固定する構造であるため、砂を移動させるパフォーマンスを行うことに供することは出来ないという問題点があった。また、光源を当てるような構造となっていないため、明るさ等の変化による映像的効果を得るという事が出来ないという問題点もあった。すなわち、サンドアートパフォーマンスを行うためのキットとしては、不十分であった。
【０００７】
サンドアートに用いる基材であって、特にサンドアートパフォーマンスの練習に最適な基材の需要は増加傾向にあり、このような要望に対応した手軽にサンドアートパフォーマンスを練習でき、楽しむことができる使い勝手の良いサンドアート用テーブルの開発が待たれていた。
【特許文献１】特開２０１１−２２４８６８号公報
【発明の開示】
【発明が解決しようとする課題】
【０００８】
本発明は、上記問題を解決するため、発光面上に撒かれた砂を指や筆で掃いて移動させることにより絵画を創作しまたは創作パフォーマンスを行うサンドアート用のテーブルであって、サンドアートの入門者向けの手軽で練習しやすい構造を有する、使い勝手の良い構造を有するサンドアート用テーブルを提供する。
【課題を解決するための手段】
【０００９】
上記の目的を達成するために本発明に係るサンドアート用テーブルは、上方へ向けて発光する発光面上に砂を撒いて、撒かれた砂を指や筆でスウィープ（掃除）移動させることにより絵画を創作しまたは創作パフォーマンスを行うためのサンドアート用テーブルであって、前記サンドアート用テーブルは、砂を撒布するための透明または半透明の板体と、前記板体の下部に設置され上方へ発光する発光面を有する発光体と、前記発光体に周設して前記板体を支持する台座とからなり、
前記板体は、前記台座と接する位置に設けられる一定幅からなる砂置部と、撒布する砂の飛散を防止するために前記板体の周縁に立設される側壁とを具備するとともに、前記板体には、一または複数からなる砂を撤収排除するためのスリットからなる砂排出口が切設されている構成である。
【００１０】
また、前記板体は、透光性を有する樹脂製素材からなる構成である。
また、前記板体は、板上に貼布する静電気除去シートまたは板面に塗布する静電気除去材により形成される静電気除去層が設けられている構成である。
更に、前記台座は、平面コの字型からなるとともに、台座上面の前記板体と接合する面に滑り止め部材を設置した構成である。
【００１１】
また、前記板体は、容易に携帯・運搬を可能とするため、Ａ４からＢ３サイズの大きさからなる構成である。
また、前記発光体は、透光性を有する面状の発光部と、直下型方式による前記発光部の下部からの照射またはエッジライト方式による前記発光部の側面からの照射を行う光源とからなる構成である。
【００１２】
また、前記発光体は、照射する光の明度・色相・彩度または色温度を変更するため、前記台座に取り外し自在に設置される構成である。
更に、前記光源は、ＬＥＤからなる構成である。
【発明の効果】
【００１３】
本発明は、上記詳述した通りの構成であるので、以下のような効果を奏する。
１．砂を撒布するための透明または半透明の板体の下部に発光体を設置したため、発光体が直接砂に触れない構成とする事が出来る。また、板体に一定幅からなる砂置部を設けたため、サンドアート用の砂を板体上に配置しておくことが可能となり、砂の追加供給に伴う床等への砂の落下を防ぐことが出来る。また、板体の周縁に側壁を立設したため周囲に砂を撒き散らす心配がなくなる。更に、板体に砂排出口を設けたため、必要量に応じて砂の撤収排除が容易となり、砂の片付けの手間を削減する事が可能となる。
２．板体が透光性を有する樹脂製素材としたため、軽量であって破損し難いサンドアート用テーブルを構成することが可能となる。また、静電気が発生する可能性があるが、静電気の作用を抑制することが可能となり、静電気によるサンドアートの乱れを防止することが可能となる。
【００１４】
３．板体に、静電気除去層を設けたため、発生した静電気を強力に抑制可能となり、安定したサンドアートパフォーマンスおよび練習を行うことが可能となる。
４．台座の形状を平面コの字型としたため、サンドアート用テーブルの使用時であっても切欠き部分から発光体を容易に脱着可能となる。また、台座上面の板体と接合する面に滑り止め部材を設置したため、板体の滑落を防止できる。
【００１５】
５．板体をＡ４からＢ３サイズの大きさとしたため、携帯・運搬をすることが容易となり、ポータブル性に優れたサンドアート用テーブルとすることが可能となる。
６．発光体の光源の照射方法として、直下型方式またはエッジライト方式を採用したため、発光面から上方への光照射を万遍なく正確なものとすることが可能となる。
【００１６】
７．発光体が台座に取り外し自在に設置される構成としたため、照射する光の明度・色相・彩度または色温度を容易に変更することが可能となる。
８．光源をＬＥＤとしたため、指向性の高い照射が可能となるとともに、長時間の使用による光源の故障を抑制することが可能となる。
【発明を実施するための最良の形態】
【００１７】
以下、本発明に係るサンドアート用テーブルを、図面に示す実施例に基づいて詳細に説明する。
図１は、本発明に係るサンドアート用テーブルの斜視図であり、図２は、サンドアート用テーブルの平面図である。図３は、サンドアート用テーブルの側面図であり、図４は、サンドアート用テーブルの台座の平面図である。
本発明に係るサンドアート用テーブル１は、図１に示すように、板体１０と、発光体２０と、台座３０とからなり、上方へ向けて発光する発光体２０の発光面２２上に撒かれた砂を指や筆でスウィープして移動させることにより絵画を創作し、または創作パフォーマンスを行うサンドアートパフォーマンスおよびその練習に用いられるテーブルである。
【００１８】
板体１０は、砂を撒布配置するための板状部材であり、板体１０は、透明または半透明の部材からなり、板体１０の下から光を照射してイラストを描画する構成である。これにより、下から照射される光が板体１０を透過して砂の影が現れる。この砂の影の濃淡により表現力豊かな絵画を描画することが可能となる。
【００１９】
発光体２０は、板体１０の下部に設置して、板体１０に向けて光を照射するための部材であり、上方へ発光する発光面２２を有している。発光体２０は、本実施例では、図１および図３に示すように板体１０の直下に配置された薄板形状からなるものであり、平面および底面は板体１０の外枠の範囲内に収まる面積からなる。発光面２２は、薄板直方体からなる発光体２０の平面部分に設置されており、本実施例では図２に示すように、発光体２０の平面部分に発光体２０の平面と略同形状の長方形からなる発光部材が設置されている。
【００２０】
台座３０は、板体１０を支持するための台状部材である。本実施例では、台座３０は、図２および図４に示すように、発光体２０を周設する位置に設置されており、板体１０の下部に配置され、板体１０を支える構成である。以上の構成とすることにより、板体１０を台座３０が支持しつつ、台座３０の中に周設する発光体２０の発光面２２が板体１０を下から照射することが可能となり、板体１０上に砂を撒くことにより、サンドアートのパフォーマンスや練習を行うことが可能となる。
【００２１】
板体１０には、描画領域１１が設けられている。描画領域１１は、サンドアートのパフォーマンスや練習を行う際に砂を撒いてイラストを描く部分であり、本実施例では板体１０上であって発光体２０の発光面２２の直上の領域が該当する。
【００２２】
板体１０には、砂置部１２が設けられている。砂置部１２は、板体１０上に砂を撒いてサンドアートのパフォーマンスや練習を行う際に、撒く前の砂を予めストックしておいたり、掃いて不要となった砂を一時的に移動配置するために設けられる一定幅からなる部位であり、描画領域１１の周囲または側縁に連設される。本実施例では、図１および図２に示すように、板体１０の砂を撒いてイラストを描画する略長方形の描画領域１１の周囲または隣接側端、すなわち板体１０上の発光体２０に対応する領域の外が砂置部１２の領域となる。砂置部１２の実施例として、砂置部１２から意図せずに砂が描画領域１１に移動する事を防止するため、描画領域１１と砂置部１２の境界に凸条または凹条の仕切りを設ける構成とすることが考えられる。
【００２３】
板体１０の周縁には、図１および図３に示すように、側壁１４が立設されている。側壁１４は、板体１０上に撒布する砂が周囲に飛散するのを防止するために設置される部材である。本実施例では、側壁１４の素材としてアクリル等の樹脂製素材が用いられているが、これに限定されるものではなく、例えば光の反射を抑制するために透光性が低い材質など、板体１０と異なる素材を用いてもよい。これにより、板体１０上での素早い描画動作によって砂が撒き散った場合であっても、周囲を汚すことなくサンドアートのパフォーマンスや練習を行うことが可能となった。
【００２４】
板体１０には、更に、砂排出口１６が切設される構成である。砂排出口１６は、砂を撤収排除するためのスリットであり、本実施例では図２に示すように、略長方形からなる描画領域１１の隅部分であって、板体１０を台座３０に設置した際に台座３０に干渉しない位置に一つのみ切設されている。これにより、サンドアートのパフォーマンスや練習を行った後の片付けの際に、効率よく砂を回収することが可能となり、特にサンドアートの練習を手軽に行う事が出来ることとなった。
【００２５】
砂排出口１６は、本実施例では１つのみ切設しているが、これに限定される事なく、複数設けることが可能である。また、砂排出口１６の下に砂受皿（図示せず）を設ける構成とすることも可能である。この構成とすることにより、例えばサンドアートのパフォーマンスを行う際に大量の砂を用いる場合に不要で取り残された砂を素早く回収でき、パフォーマンスをスムーズに行う事を可能とする事が考えられる。
【００２６】
板体１０は、透光性を有する樹脂製素材からなる構成である。この構成とすることにより、鮮明に光を透過する事が可能となり、板体１０を軽量化することや充分な強度を確保することが可能となるとともに、発生する静電気の作用を抑制することが可能となり、サンドアートのパフォーマンスや練習中に静電気が発生することで綺麗なイラストを描画する事が出来なくなる事態の発生を防止することが可能となった。本実施例では、板体１０はアクリル等の樹脂製素材からなるが、これに限定されるものではなく、例えばポリカーボネートなど、透光性を有する樹脂であれば他の材質のものを使用する事が可能である。また、この実施例では滑面を想定しているが梨地のような均一の細い地模様の付された面も採用することが出来る。
【００２７】
また、板体１０は、図３に示すように、静電気除去層１８を設けた構成とすることが可能である。前述のように、サンドアートのパフォーマンスや練習中に静電気が発生すると繊細で綺麗なイラストに電気的影響を与え描画する事が困難となることが考えられる。静電気除去層１８は、板体１０上で発生する静電気を除去し、または板体１０上での静電気の発生を抑制するための層であり、本実施例では、板体１０上に静電気除去シートを貼布することで形成し、あるいは板体１０の板面に静電気除去材を塗布することにより形成する。静電気除去層１８の形成方法は特に限定されず、例えば親水性膜層による静電気除去や、シリカ薄膜の形成による静電気除去などあらゆる方法が考えられる。
【００２８】
台座３０は、図４に示すように、平面コの字型からなる構成である。この形状とする事により、サンドアートのパフォーマンス中や練習中に発光体２０を、素早く容易に交換する事が可能となり、効率の良い練習が可能となるとともに、変化に富んだ質の高いパフォーマンスを提供する事が可能となる。台座３０は、更に、図３および図４に示すように、台座３０上面の板体１０と接合する面に滑り止め部材３２を設置した構成とすることが可能である。これにより、サンドアートのパフォーマンス中や練習中に素早く、または激しく砂によるイラストを描画することによる板体１０のズレを防止する事が可能となり、パフォーマーの躍動的な動きに対応することが可能となった。
【００２９】
板体１０は、Ａ３サイズ乃至Ｂ４サイズの大きさとすることが可能である。この大きさとすることにより、重量を抑える事が出来るとともに持ち運ぶ際に、嵩張ることなく運搬する事が可能となる。これにより携帯・運搬が容易となり、ポータブル性を有するサンドアート用テーブルを構成することが可能となった。本実施例では、板体１０は縦４８６ｍｍ、横６０１ｍｍの寸法からなる。また、側壁１４は高さ４０ｍｍからなる。板体１０と側壁１４は夫々厚みが３ｍｍで構成され、台座３０の厚みは１０ｍｍとなっている。これにより、ポータブル性が充分に確保されたサンドアート用テーブルが形成される。なお、上記サイズに限定されることはなく、使用する場面に応じて適宜サイズを変更することが可能である。
【００３０】
発光体２０は、図３に示すように、発光部２４と光源２６ａ・２６ｂとからなる。発光部２４は、発光体２０の発光面２２側に設置される面状部材であり、該発光部２４が明るく光ることにより発光面２２が光って描画領域１１を照らし、砂の影の濃淡によるイラストの表現が可能となる。また、発光体２０には図３に示すように、光源２６ａ・２６ｂが設けられており、これが光ることにより発光部２４から光が照射される事となる。発光部２４を光らせる方法として、発光部２４の下部に光源２６ａを設置して下から発光部２４を光らせる直下型方式を選択することが可能である。また、発光部２４の側面に光源２６ｂを設置して側面から上面に向けて間接的に発光部２４を光らせるエッジライト方式を選択することも可能となっている。
【００３１】
発光体２０は、台座３０に取り外し自在に設置される構成である。この構成とすることにより、別の明度・色相・彩度または色温度からなる光を照射する発光体２０に交換することが可能となり、サンドアートの練習中やパフォーマンス中であっても照射する光の明度・色相・彩度または色温度を素早くかつ容易に変更することが可能となった。
【００３２】
光源２６ａ・２６ｂは、本実施例ではＬＥＤからなる構成である。この構成とすることにより、指向性の高い照射が可能となるとともに、長時間の使用による光源の故障を抑制することが可能となった。なお、光源２６ａ・２６ｂは、ＬＥＤに限定されるものではなく、他の発光可能な部材を選択する事も可能である。
【００３３】
このサンドアート用テーブルに更に撮影手段や放映手段を付加増設して大勢の観衆に提供できるような装置の一部とすることも可能である。
【図面の簡単な説明】
【００３４】
【図１】本発明に係るサンドアート用テーブルの斜視図
【図２】サンドアート用テーブルの平面図
【図３】サンドアート用テーブルの側面図
【図４】サンドアート用テーブルの台座の平面図
【符号の説明】
【００３５】
１    サンドアート用テーブル
１０    板体
１１    描画領域
１２    砂置部
１４    側壁
１６    砂排出口
１８    静電気除去層
２０    発光体
２２    発光面
２４    発光部
２６ａ・２６ｂ    光源
３０    台座
３２    滑り止め部材
【図１】
2016068446.tif 000003
【図２】
2016068446.tif 000004
【図３】
2016068446.tif 000005
【図４】
2016068446.tif 000006